(57)【要約】【課題】  本発明は、第１の操作では、第１スイッチ部６だけがＯＮして、第２スイッチ部１１がＯＮすることのない操作性に優れたスイッチ装置１を提供すること。【解決手段】  本発明のスイッチ装置１は、上部電極３ａと下部電極５ａ、５ａとを所定寸法の隙間を有して対向配置した第１スイッチ部６と、この第１スイッチ部６と対向する下部側に配置した所定高さで膨出するメタルドーム９を有する第２スイッチ部１１とを備え、第１スイッチ部６には、上部電極３ａと下部電極５ａ、５ａとの間に隙間を形成するための所定厚さ（寸法Ａ）の第１スペーサ４を配置し、第２スイッチ部には、メタルドーム９の膨出高さと同等以上の厚さ寸法（寸法Ｂ）の第２スペーサ７を配置し、この第２スペーサ７の厚さ寸法は、第１スペーサ４より厚く形成されている。【選択図】        図２
2006286582.tif 000002
【特許請求の範囲】
【請求項１】
上部電極と下部電極とを所定寸法の隙間を有して対向配置した第１スイッチ部と、この第１スイッチ部と対向する下部側に配置した所定高さで膨出するメタルドームを有する第２スイッチ部とを備え、前記第１スイッチ部には、前記上部電極と前記下部電極との間に前記隙間を形成するための所定厚さの第１スペーサを配置し、前記第２スイッチ部には、前記メタルドームの膨出高さと同等以上の厚さ寸法の第２スペーサを配置し、この第２スペーサの厚さ寸法は、前記第１スペーサより厚く形成されていることを特徴とするスイッチ装置。
【請求項２】
前記上部電極を形成した上部シートと、前記下部電極を形成した下部シートとが、前記第１スペーサを挟んで互いに対向配置され、前記第２スペーサには、前記メタルドームを収納可能な四方を格子状の桟部で仕切った貫通孔が複数形成され、前記下部シートを載置した側の前記桟部の稜線には、面取り、あるいはアールが形成されていることを特徴とする請求項１記載のスイッチ装置。
【請求項３】
前記桟部には、前記貫通孔に収納した前記メタルドームを押圧操作可能な操作片が片持ち支持、あるいは両持ち支持されていることを特徴とする請求項２記載のスイッチ装置。
【請求項４】
前記操作片には、少なくとも前記メタルドームと対向する側に所定高さの突起が形成されていることを特徴とする請求項３記載のスイッチ装置。
【請求項５】
前記操作片は、前記桟部に連結された円弧状の連結部に前記片持ち支持、あるいは両持ち支持されていることを特徴とする請求項３、または４記載のスイッチ装置。
【発明の詳細な説明】
【技術分野】
【０００１】
本発明は、スイッチ装置に係わり、第１スイッチ部と第２スイッチ部とを、同じ押圧位置を押圧することで、両方のスイッチ部を操作可能なスイッチ装置に関する。
【背景技術】
【０００２】
従来のスイッチ装置を、特許文献１に基づいて説明すると、従来のスイッチ装置２０は、図５に示すように、最上部にゴム板等からなるカバー２１が配設され、このカバー２１には、操作部２１ａが形成されている。
前記カバー２１の下面には、フレキシブルな第１プリント基板２２が配設され、この第１プリント基板２２の下面には、第１共通電極２３が形成されている。
【０００３】
前記第１プリント基板２２は、所定厚さの第１スペーサ２４上に載置されており、この第１スペーサ２４には、第１共通電極２３が位置して下方に撓むことが可能な第１貫通孔２４ａが形成されている。
また、第１スペーサ２４の下部には、フレキシブルな第２プリント基板２５が配設され、この第２プリント基板２５の上面で、第１共通電極２３と対向する位置に、互いに絶縁された一対の第１個別電極２６、２６が第１共通電極２３と所定の隙間を有して形成されている。
そして、第１共通電極２３と第１個別電極２６、２６とで、第１スイッチ部が構成されている。
【０００４】
また、第２プリント基板２５の下面には、第２共通電極２７が形成されており、前記第２プリント基板２５は、第２スペーサ２８に載置されている。
前記第２スペーサ２８には、第２共通電極２７が位置して下方に弾性変形可能な第２貫通孔２８ａが形成されている。
また、第２スペーサ２８の下部には、フレキシブルな第３プリント基板２９が配設され、この第３プリント基板２９の上面で、第２共通電極２７と対向する位置に、互いに絶縁された一対の第１個別電極３０、３０が第２共通電極２７と所定の隙間を有して形成されている。
そして、第２共通電極２７と第２個別電極３０、３０とで、第２スイッチ部が構成されている。
【０００５】
このような従来のスイッチ装置２０の操作を説明すると、まず、操作者の指等で操作部２１ａを軽く押圧する第１の操作で、カバー２１が下方に撓む。
このことにより、第１共通電極２３が下方に変位して、一対の第１個別電極２６、２６に当接する。
そして、一対の第１個別電極２６、２６が、第１共通電極２３を介して電気的に導通して第１スイッチ部がＯＮする。
【０００６】
前記第１の操作後に、操作部２１ａを強く押圧する第２の操作で、カバー２１が第１の操作の時より更に下方に大きく撓んで、第１スイッチ部がＯＮした状態で、第２プリント基板２５が下方に押圧されて下方に撓む。
このことにより、第２共通電極２７が下方に変位して、一対の第２個別電極３０、３０に当接する。そして、一対の第２個別電極３０、３０が第２共通電極２７を介して電気的に導通して第２スイッチ部がＯＮする。
このように、従来のスイッチ装置２０は、操作部２１ａを軽くタッチする第１の操作と、この第１の操作後に操作部２１ａを第１の操作より強く押圧する第２の操作で、第１、第２の２つのスイッチ部をＯＮすることができる。
【特許文献１】実開昭４８−９９４６２号公報
【発明の開示】
【発明が解決しようとする課題】
【０００７】
しかし、従来のスイッチ装置２０は、第１、第２スペーサ２４、２８の厚さが同じであったために、操作者が操作部３１ａの第１の操作で、第１のスイッチ部をＯＮしようとしたときに、第２プリント基板２５も同時に押されて、第２スイッチ部がＯＮするおそれがあった。
即ち、第１スイッチ部だけがＯＮする第１の操作で、第２スイッチ部がＯＮする第２の操作も同時に行われて誤入力が発生するおそれがあった。
本発明は前述したような課題を解決し、第１の操作では、第１スイッチ部だけがＯＮして、第２スイッチ部がＯＮすることのない操作性に優れたスイッチ装置を提供することを目的とする。
【課題を解決するための手段】
【０００８】
前記課題を解決するための第１の手段として本発明のスイッチ装置は、上部電極と下部電極とを所定寸法の隙間を有して対向配置した第１スイッチ部と、この第１スイッチ部と対向する下部側に配置した所定高さで膨出するメタルドームを有する第２スイッチ部とを備え、前記第１スイッチ部には、前記上部電極と前記下部電極との間に前記隙間を形成するための所定厚さの第１スペーサを配置し、前記第２スイッチ部には、前記メタルドームの膨出高さと同等以上の厚さ寸法の第２スペーサを配置し、この第２スペーサの厚さ寸法は、前記第１スペーサより厚く形成されていることを特徴とする。
また、前記課題を解決するための第２の手段として、前記上部電極を形成した上部シートと、前記下部電極を形成した下部シートとが、前記第１スペーサを挟んで互いに対向配置され、前記第２スペーサには、前記メタルドームを収納可能な四方を格子状の桟部で仕切った貫通孔が複数形成され、前記下部シートを載置した側の前記桟部の稜線には、面取り、あるいはアールが形成されていることを特徴とする。
【０００９】
また、前記課題を解決するための第３の手段として、前記桟部には、前記貫通孔に収納した前記メタルドームを押圧操作可能な操作片が片持ち支持、あるいは両持ち支持されていることを特徴とする。
また、前記課題を解決するための第４の手段として、前記操作片には、少なくとも前記メタルドームと対向する側に所定高さの突起が形成されていることを特徴とする。
また、前記課題を解決するための第５の手段として、前記操作片は、前記桟部に連結された円弧状の連結部に前記片持ち支持、あるいは両持ち支持されていることを特徴とする。
【発明の効果】
【００１０】
本発明のスイッチ装置の第１スイッチ部には、上部電極と下部電極との間に隙間を形成するための所定厚さの第１スペーサを配置し、第２スイッチ部には、メタルドームの膨出高さと同等以上の厚さ寸法の第２スペーサを配置し、この第２スペーサの厚さ寸法は、第１スペーサより厚く形成されているので、第１の操作で第１スイッチ部がＯＮしても、第２スイッチ部がＯＮするのを防止できる。
また、上部電極を形成した上部シートと、下部電極を形成した下部シートとが、合い１スペーサを挟んで互いに対向配置され、第２スペーサには、メタルドームを収納可能な四方が格子状の桟部で仕切りられた貫通孔が複数形成され、下部シートを載置した側の桟部の稜線には、面取り、あるいはアールが形成されているので、第１、第２の操作を繰り返し行っても、下部シートに傷、あるいはクラックが発生するのを防止できる。
そのために長寿命のスイッチ装置を提供できる。
【００１１】
また、桟部には、貫通孔に収納したメタルドームを押圧操作可能な操作片が、片持ち支持、あるいは両持ち支持されているので、第２の操作で操作片が無理なく降下してメタルドーム９を確実に反転させて第２スイッチ部をスムーズにＯＮさせることができ、操作性に優れたスイッチ装置を提供できる。
また、操作片には、少なくともメタルドームと対向する側に所定高さの突起が形成されているので、突起によってメタルドームを更に確実に反転させることができる。
【００１２】
また、操作片は、桟部に連結された円弧状の連結部に前記片持ち支持、あるいは両持ち支持されているので、第２の操作で第２スペーサ５が押圧されると、円弧状の連結部によって、操作片をスムーズに降下させて、メタルドームを無理なく反転させることができる。
更に、操作後の操作片は、連結部の弾性復帰力で、すみやかに初期状態に自動復帰させることができる。
【発明を実施するための最良の形態】
【００１３】
以下、本発明のスイッチ装置の一実施の形態を図面に基づいて説明する。図１は本発明のスイッチ装置を説明する分解斜視図であり、図２は本発明のスイッチ装置の要部断面図であり、図３、図４は本発明に係わる第２スペーサのその他の実施の形態を説明する斜視図である。
【００１４】
本発明のスイッチ装置１を図１、図２に基づいて説明すると、本発明のスイッチ装置１の最上部には、ゴム等の弾性を有するカバー２が配設され、このカバー２の上面には、上方に所定高さで突出する複数の操作部２ａが、所定のピッチ寸法で形成されている。
前記カバー２の下面には、フィルム状でフレキシブルな上部シート３が配設され、この上部シート３の下面には、後述する第１スペーサ４の貫通孔４ａより小さい寸法の上部電極３ａが印刷等で形成されている。
【００１５】
前記上部シート３の下部には、絶縁性の樹脂材料等からなる厚さ寸法Ａの第１スペーサ４が配設され、この第１スペーサ４は、厚さ寸法Ａが、例えば０．１５ｍｍに形成されている。
前記第１スペーサ４には、上部電極３ａが位置してカバー２が下方に変位可能な第１貫通孔４ａが形成されている。
また、第１スペーサ４の下部には、フィルム状でフレキシブルな下部シート５が配設されている。前記貫通孔４ａ内に位置する部分の下部シート５の上面には、互いに絶縁された一対の下部電極５ａ、５ａが印刷等で対向形成され、上部電極３ａと下部電極５ａ、５ａとは、所定寸法の隙間を有して対向配置されている。
【００１６】
そして、上部電極３ａと下部電極５ａ、５ａとで第１スイッチ部６が構成されており、操作部２ａを軽く押圧する第１の操作で、下方に変位する上部電極３ａが、一対の下部電極５ａ、５ａに接触することで、第１スイッチ部６がＯＮするようになっている。
また、下部シート５の下部には、絶縁性の樹脂材料等からなる厚さ寸法Ｂの第２スペーサ７が配設され、この第２スペーサ７は、厚さ寸法Ｂが、例えば１ｍｍに形成されている。
【００１７】
即ち、第２スペーサ７の厚さ寸法Ｂは、第１スペーサ４の厚さ寸法Ａより厚く形成されている。このような、第２スペーサ７の厚さを第１スペーサ４より厚くすることで、操作部２ａを軽く押圧する第１の操作で、下部シート５が下方に若干撓んだとしても、この撓みが後述するメタルドーム９に加わったとしても、メタルドーム９が反転するのを防止できるようになっている。
また、第２スペーサ７には、後述するメタルドーム９を収納可能な、四方を格子状の桟部７ａで仕切られた貫通孔７ｂが複数形成されている。
【００１８】
前記格子状の桟部７ａの下部シート５を載置した側の稜線（コーナ部）には、面取り、あるいはアールが形成されている。
そのために、操作部２ａを第１の操作より強く押圧する後述する第２の操作で、下部シート５が貫通孔４ａ内に撓んだ時に、桟部７ａの稜線で下部シート５に傷が付くのを防止できる。
更には、繰り返しの第２の操作で、下部シート５が繰り返し撓んでも、下部シート５には、疲労によるクラック等が発生せず長寿命化できる。
【００１９】
また、第２スペーサ７の下部には、フィルム状のドームシート８が配設され、このドームシート８には、第２スペーサ７の貫通孔７ｂと対向する複数の位置に、所定高さでドーム状に膨出する板バネからなるメタルドーム９が接着剤等で貼着されて、ドームシート８の開放部８ａから膨出部分が上方に露出している。
前記メタルドーム９の膨出高さは、第２スペーサ７の厚さ寸法Ｂと同等、またはそれ以下に形成されている。
【００２０】
また、ドームシート８は、所定厚さで硬質のプリント基板１０に載置され、このプリント基板１０の上面には、メタルドーム９の外周部が位置する部分に所定形状の第１固定接点（図示せず）と、メタルドーム９の頂部内面の天井面と対向する部分に第２固定接点（図示せず）とが互いに絶縁されて形成されている。
前記メタルドーム９と、第１、第２固定接点とで第２スイッチ部１１が構成されている。
そして、第１の操作で第１スイッチ部６をＯＮした状態で、操作部２ａを第１の操作より強く押圧する第２の操作で、下部シート５の下面がメタルドーム９を押圧して、メタルドーム９が反転し、第１、第２固定接点（図示せず）が電気的に接続されて第２スイッチ部１１がＯＮする。
【００２１】
このような本発明のスイッチ装置１の操作を説明すると、まず、図２に示すように、第１、第２スイッチ部６、１１がそれぞれＯＦＦ状態の初期状態において、操作者の指等で操作部２ａを軽くタッチする第１の操作で、操作部２ａを形成した部分のカバー２が下方に撓む。
このことにより、第１スペーサ４の貫通孔４ａ上に位置する上部電極３ａが下方に変位して一対の下部電極５ａ、５ａに接触する。
【００２２】
そして、一対の下部電極５ａ、５ａが、上部電極３ａを介して電気的に導通して第１のスイッチ部６がＯＮする。
次ぎに、第１の操作後に、操作部２ａを強く押圧する第２の操作で、第１スペーサ４の貫通孔４ａに位置する部分のカバー２が、第１の操作の時より更に下方に大きく撓む。このことにより、第１スイッチ部がＯＮした状態で、下部シート５が下方に押圧されて下方に撓む。
【００２３】
このことにより、メタルドーム９の膨出頂部が下部シート５の下面に押圧されて、メタルドーム９が反転する。このメタルドーム９の反転で、互いに絶縁された第１、第２固定接点がメタルドーム９を介して電気的に接続されて、第２スイッチ部１１がＯＮされる。
また、メタルドーム９が反転することで、操作者がクリック感を得ることができ、第２スイッチ部１１がＯＮしたことを操作者が認識できる。
【００２４】
このような本発明のスイッチ装置１を、例えばテレビ等のリモコン装置に用いることで、テレビ画面を観賞しながら、ブラインドタッチで操作部２ａをタッチする第１の操作で、タッチした部分の第１スイッチ部６がＯＮして、この第１スイッチ部６に対応する機能がテレビ画面に表示される。
例えば、操作者がタッチした部分の操作部２ａの機能がチャネル選択ボタンだとすると、テレビ画面には第１の操作をした部分に対応したチャネル番号が表示される。
【００２５】
そして、表示されたチャネル番号が所望の番号である場合は、第１の操作を行っている操作部２ａを第１の操作より強く押圧する第２の操作で、第２スイッチ部１１がＯＮして、現在観賞中のチャネルから、所望のチャネルに切り換えることができる。
尚、本発明の実施の形態では、第２スペーサ７の貫通孔７ｂに収納されたメタルドーム９を下部シート５が直接押圧することで説明したが、その他の実施の形態として、第２スペーサ５は、図３に示すように、貫通孔７ｂ周囲の桟部７ａには、貫通孔７ｂに収納したメタルドーム９を押圧操作可能な操作片７ｃが、円弧状の連結部７ｄに片持ち支持されて形成されているものでも良い。
【００２６】
そして、操作片７ｃには、図２に示すように、少なくともメタルドーム９と対向する側に、所定高さの突起７ｅが形成されている。
このような、桟部７ａに形成した連結部７ｄで片持ち支持した操作片７ｃは、第２の操作で第２スペーサ５が押圧されると、円弧状の連結部７ｄによって、操作片７ｃがスムーズに降下して、メタルドーム９を無理なく押圧することができる。
【００２７】
そして、第２の操作が終了して操作部２ａの押圧を解除すると、メタルドーム９の弾性復帰力だけでなく、連結部７ｄの弾性復帰力も加わって、第１スイッチ部６を上方に押し上げて、初期状態にすみやかに自動復帰することができる。
更に、突起７ｅによって、メタルドーム９の頂部を確実に押圧することができ、メタルドーム９をスムーズに反転操作することができる。
また、操作片７ｃは、図４に示すように、桟部７ａに形成した２本の連結部７ｄ、７ｄで両持ち支持したものでも良い。
このように、操作片７ｃを２本の連結部７ｄ、７ｄで両持ち支持することで、操作片７ｃを更にすみやかに初期状態に自動復帰させることができる。
【図面の簡単な説明】
【００２８】
【図１】本発明のスイッチ装置を説明する分解斜視図である。
【図２】本発明のスイッチ装置の要部断面図である。
【図３】本発明に係わる第２スペーサのその他の実施の形態を説明する斜視図である。
【図４】本発明に係わる第２スペーサのその他の実施の形態を説明する斜視図である。
【図５】従来のスイッチ装置の要部断面図である。
【符号の説明】
【００２９】
１  本発明のスイッチ装置
２  カバー
２ａ  操作部
３  上部シート
３ａ  上部電極
４  第１スペーサ
４ａ  第１貫通孔
５  下部シート
５ａ  下部電極
６  第１スイッチ部
７  第２スペーサ
７ａ  桟部
７ｂ  第２貫通孔
７ｃ  操作片
７ｄ  連結部
７ｅ  突起
８  ドームシート
９  メタルドーム
１０  プリント基板
１１  第２スイッチ部
【図１】
2006286582.tif 000003
【図２】
2006286582.tif 000004
【図３】
2006286582.tif 000005
【図４】
2006286582.tif 000006
【図５】
2006286582.tif 000007